(57)【要約】【課題】バルブに模様部分を容易に形成することができ、模様部分以外のバルブ部分から異なる光色の照明光を放射することのできる蛍光ランプおよび照明器具を提供する。【解決手段】蛍光ランプ１は、透光性のバルブ２と、バルブ２の両端部２ａ，２ａに封装された一対の電極３，３と、バルブ内表面に所定の非形成部６を残して塗布して形成された第１の蛍光体層４と、バルブ内表面の前記非形成部６および第１の蛍光体層４の表面に形成された第１の蛍光体層４と発光色が異なる第２の蛍光体層５と、バルブ２の内部に封入された放電媒体とを具備している。【選択図】図１
2005190848.tif 000002
【特許請求の範囲】
【請求項１】
透光性のバルブと；
バルブの両端部に封装された一対の電極と；
バルブ内表面に所定の非形成部を残して塗布して形成された第１の蛍光体層と；
バルブ内表面の前記非形成部および第１の蛍光体層の表面に塗布して形成された第１の蛍光体層と発光色が異なる第２の蛍光体層と；
バルブの内部に封入された放電媒体と；
を具備していることを特徴とする蛍光ランプ。
【請求項２】
透光性のバルブと；
バルブの両端部に封装された一対の電極と；
バルブが照明器具に支持されたときの前記照明器具の照射方向側のバルブ内表面にバルブの長手方向に沿って形成された第１の蛍光体層と；
バルブが照明器具に支持されたときの前記照明器具の非照射方向側のバルブ内表面および第１の蛍光体層の表面に形成された第１の蛍光体層と発光色が異なる第２の蛍光体層と；
バルブの内部に封入された放電媒体と；
を具備していることを特徴とする蛍光ランプ。
【請求項３】
第１および第２の蛍光体層のうち、少なくとも一方の蛍光体層は、当該蛍光体層の発光色と略同色の顔料を包含していることを特徴とする請求項１または２記載の蛍光ランプ。
【請求項４】
請求項１ないし３いずれか一記載の蛍光ランプと；
蛍光ランプを配設している照明器具本体と；
蛍光ランプを点灯させる点灯装置と；
を具備していることを特徴とする照明器具。
【発明の詳細な説明】
【技術分野】
【０００１】
本発明は、発光色が異なる複数の蛍光体層が形成された蛍光ランプおよびこの蛍光ランプを配設している照明器具に関する。
【背景技術】
【０００２】
近年、一般照明用の蛍光ランプにおいて、バルブの表面に文字や絵柄等の模様を形成して、照明の演出または宣伝広告媒体として利用することが行われている。例えば、バルブの外表面の一部に反射膜を付着させ、この反射膜の一部に模様の孔を開けることにより多様な照明が得られる蛍光ランプが提案されている（例えば、特許文献１参照。）。また、模様に対応する蛍光体のパターンを予め付着させた転写紙を用いて、直接蛍光体粉末をバルブ内面に付着することにより、発光色の異なる蛍光体の当該発色領域をバルブ内表面で組み合わせて模様を形成するとともに、バルブからの全光束によりバルブから５０ｃｍ以上離れた所で所定の単一色（例えば、白色）の発光が得られるようにした蛍光ランプが提案されている（例えば、特許文献２参照。）。
【０００３】
また、それぞれ発光色の異なるバルブ部分を有する蛍光ランプにより、照明を演出することが行われている。例えば、バルブ内面の半周に色温度６５００Ｋの昼白色の光色の光を放射する蛍光体が形成され、残り半周に色温度３０００Ｋの電球色の光色の光を放射する蛍光体が形成された蛍光ランプが提案されている（例えば、特許文献３参照。）。この従来技術は、蛍光ランプを前記蛍光体が上側または下側になるように選択的に照明器具のソケットに取り付けることにより、色温度の高いさわやかな光色または色温度の低い温かみのある光色が得られるというものである。
【特許文献１】特開平９−１８０６８３号公報（第２頁、第２図）
【特許文献２】特開平４−９４０５４号公報（第３−４頁、第１図）
【特許文献３】特開平４−１２９１６５号公報（第２頁、第２図）
【発明の開示】
【発明が解決しようとする課題】
【０００４】
特許文献１は、バルブの外表面に反射膜を付着させているので、反射膜が摩擦などにより剥がれて模様が欠損するおそれがある。また、模様の色が蛍光ランプの発光色と同色となるので、宣伝広告媒体としては模様を認識しにくいという欠点を有する。
【０００５】
特許文献２は、転写紙をバルブ内に挿入してバルブ内面に接触させ、高温および高圧を加えて接着させた後、転写紙の基体シートを剥がすことにより、模様に対応する蛍光体粉末をバルブ内面に付着させているので、製造が複雑であり、コスト高になるという欠点を有する。
【０００６】
特許文献３は、バルブ内面を２分してそれぞれのバルブ部分毎に異なる発光色の蛍光体を形成するので、その蛍光体の塗布分けに手間を要し、製造のコストアップという欠点を有する。
【０００７】
本発明は、バルブに模様部分を容易に形成することができ、模様部分以外のバルブ部分から異なる光色の照明光を放射することのできる蛍光ランプおよび照明器具を提供することを目的とする。
【課題を解決するための手段】
【０００８】
請求項１に記載の蛍光ランプの発明は、透光性のバルブと；バルブの両端部に封装された一対の電極と；バルブ内表面に所定の非形成部を残して塗布して形成された第１の蛍光体層と；バルブ内表面の前記非形成部および第１の蛍光体層の表面に塗布して形成された第１の蛍光体層と発光色が異なる第２の蛍光体層と；バルブの内部に封入された放電媒体と；を具備していることを特徴とする。
【０００９】
本発明および以下の各発明において、特に言及しない限り、各構成は以下による。
【００１０】
蛍光ランプは、直管形、環形および屈曲形など、その形状は問わない。また、一対の電極は、熱電極または冷陰極を問わない。
【００１１】
第１および第２の蛍光体層は、保護膜を介してバルブ内表面に形成されてもよい。また、第２の蛍光体層の表面に、さらに第１および第２の蛍光体層と発光色が異なる第３の蛍光体層が形成されてもよい。
【００１２】
所定の非形成部は、所望の模様とすることができる。
【００１３】
バルブの第１の蛍光体層の非形成部から第２の蛍光体層が発光する光色の光が放射され、当該非形成部の残余から第１および第２の蛍光体層がそれぞれ発光する光色の光が混色されて放射される。そして、第１および第２の蛍光体層が発光する光は、互いに異なる発光色であるので、非形成部の形状が視認しやすい。また、第１および第２の蛍光体層の種類を適宜選択することにより、非形成部は、所定の光色に形成され、非形成部以外のバルブ部分から所定の光色の照明光が放射される。
【００１４】
本発明によれば、第１の蛍光体層がバルブ内表面に所定の非形成部を残して塗布して形成され、第１の蛍光体層と発光色が異なる第２の蛍光体層が前記非形成部および第１の蛍光体層の表面に塗布して形成されるので、模様を形成する非形成部を有する蛍光ランプが容易に製造される。
【００１５】
請求項２に記載の蛍光ランプの発明は、透光性のバルブと；バルブの両端部に封装された一対の電極と；バルブが照明器具に支持されたときの前記照明器具の照射方向側のバルブ内表面にバルブの長手方向に沿って形成された第１の蛍光体層と；バルブが照明器具に支持されたときの前記照明器具の非照射方向側のバルブ内表面および第１の蛍光体層の表面に形成された第１の蛍光体層と発光色が異なる第２の蛍光体層と；バルブの内部に封入された放電媒体と；を具備していることを特徴とする。
【００１６】
照明器具の非照射方向側のバルブ部分から第２の蛍光体層が発光する光色の光が放射される。この光を照明器具の反射板などにより照明器具の照射方向側に反射させることが可能であり、照明器具の間接光として利用可能である。また、照明器具の照射方向側のバルブ部分から発光色が異なる第１および第２の蛍光体層がそれぞれ発光する光色の光が直接光として照射される。これら間接光および直接光の混色により、照明が演出可能である。
【００１７】
第１および第２の蛍光体層は、バルブ内表面に一方が大きな周回領域で、他方が小さな周回領域で形成されてもよい。
【００１８】
本発明によれば、第１の蛍光体層が照明器具の照射方向のバルブ内表面に塗布して形成され、第１の蛍光体層と発光色が異なる第２の蛍光体層が照明器具の非照射方向側のバルブ内表面および第１の蛍光体層の表面に塗布して形成されるので、照明器具の照射方向側、非照射方向側のそれぞれのバルブ部分から異なる光色の光が放射される蛍光ランプが容易に製造される。
【００１９】
請求項３に記載の蛍光ランプの発明は、請求項１または２記載の蛍光ランプにおいて、第１および第２の蛍光体層のうち、少なくとも一方の蛍光体層は、当該蛍光体層の発光色と略同色の顔料を包含していることを特徴とする。
【００２０】
顔料は、蛍光体層から放射された光色の光を透過させるとき、蛍光体層の主発光色以外の光色の光をカットする。すなわち、例えば、青色光を発光する蛍光体層からは、青色光（主発光色）の他、青色光以外の光色の光もわずかに放射される。このとき、青色の顔料は、青色光以外の光を吸収して青色光を透過させる。これにより、蛍光体層からの光色の光が主発光色に近づくようになり、当該光が鮮明になる。
【００２１】
顔料は、例えば、青色を発光する蛍光体層には、コバルトブルーや群青が使用され、赤色を発光する蛍光体層には、弁柄（Ｆｅ２Ｏ３）が使用される。
【００２２】
そして、前記非形成部に形成される第２の蛍光体層に顔料を包含させることにより、前記非形成部例えば模様をより鮮明に表示させることができる。
【００２３】
本発明によれば、第１および第２の蛍光体層が当該蛍光体層の発光色と略同色の顔料を包含することにより、当該蛍光体層から放射される光の光色がより鮮明になる。
【００２４】
請求項４に記載の照明器具の発明は、請求項１ないし３いずれか一記載の蛍光ランプと；蛍光ランプを配設している照明器具本体と；蛍光ランプを点灯させる点灯装置と；を具備していることを特徴とする。
【００２５】
点灯装置は、照明器具本体に配設されてもよく、照明器具本体と別置されてもよい。
【００２６】
本発明によれば、第１および第２の蛍光体層の種類を適宜選択することにより、バルブの前記非形成部やバルブからの照射光を所定の光色に形成することのできる照明器具が提供される。
【発明の効果】
【００２７】
請求項１の発明によれば、第１の蛍光体層がバルブ内表面に所定の非形成部を残して塗布して形成され、第１の蛍光体層と発光色が異なる第２の蛍光体層が前記非形成部および第１の蛍光体層の表面に塗布して形成することにより、模様を形成する非形成部を有する蛍光ランプを容易に製造することができ、蛍光ランプを安価にすることができる。また、第１および第２の蛍光体層の種類を適宜選択することにより、非形成部のバルブ部分および前記非形成部以外のバルブ部分からそれぞれ異なる所定の光色の光を放射させることができるので、模様を形成する非形成部を容易に視認させることができる。
【００２８】
請求項２の発明によれば、第１の蛍光体層を照明器具の照射方向のバルブ内表面に塗布して形成し、第１の蛍光体層と発光色が異なる第２の蛍光体層を照明器具の非照射方向側のバルブ内表面および第１の蛍光体層の表面に塗布して形成することにより、照明器具の照射方向側、非照射方向側のそれぞれのバルブ部分から異なる光色の光が放射される蛍光ランプを容易に製造することができ、蛍光ランプを安価にすることができる。また、第１および第２の蛍光体層の種類を適宜選択した蛍光ランプを用いることにより、所定の光色の照明光によって照明を演出することができる。
【００２９】
請求項３の発明によれば、第１および第２の蛍光体層が当該蛍光体層の発光色と略同色の顔料を包含することにより、当該蛍光体層から放射される光の光色がより鮮明になるので、模様が形成される非形成部のバルブ部分を明確に視認することができ、あるいは、より鮮明な光色の照明光を得ることができる。
【００３０】
請求項４の発明によれば、照明器具本体は、請求項１ないし３いずれか一記載の蛍光ランプを具備しているので、非形成部のバルブ部分を所定の光色にでき、あるいは発光色が異なるそれぞれのバルブ部分から放射される照射光を所定の光色の照明光にすることのできる照明器具を提供することができる。
【発明を実施するための最良の形態】
【００３１】
以下、本発明の一実施の形態について、図面を参照して説明する。まず、本発明の第１の実施形態について説明する。
【００３２】
図１は、本発明の第１の実施形態を示す蛍光ランプであり、（ａ）は一部切り欠き概略正面図、（ｂ）は図１（ａ）のＡ−Ａ方向における概略断面図である。なお、図１（ｂ）において、フィラメント電極など、要部以外は省略している。
【００３３】
蛍光ランプ１は、透光性のバルブ２、一対の電極としての一対のフィラメント電極３，３、第１の蛍光体層４、第２の蛍光体層５および放電媒体（図示しない。）を有して構成されている。
【００３４】
バルブ２は、可視光を透過する軟質ガラスからなり、直管形に形成されて、両端部２ａ，２ａにそれぞれ一対のフィラメント電極３，３が封装されている。そして、バルブ２の内表面に所定の非形成部６を残して第１の蛍光体層４が塗布して形成され、さらに、非形成部６のバルブ２の内表面および第１の蛍光体層４の表面に第２の蛍光体層５が塗布して形成されている。
【００３５】
非形成部６は、文字や図柄などの模様を形成するものである。非形成部６は、例えば、バルブ２の内表面の全域に第１の蛍光体層４の蛍光体スラリーを塗布して形成した後、模様を形成するバルブ部分の第１の蛍光体層４を所望の模様に応じて剥離することで形成される。模様は、蛍光ランプ１が点灯している時に、例えば宣伝広告媒体として機能する。
【００３６】
なお、非形成部６は、第１の蛍光体層４が塗れない撥水性の塗料を用いて形成することも可能である。例えば、バルブ内表面に所望の模様に撥水性の塗料を塗布した後、バルブ内表面に第１の蛍光体層４を形成し、その後、撥水性の塗料を例えば加熱により除去して形成することができる。
【００３７】
そして、非形成部６を形成した後に、非形成部６および第１の蛍光体層４の表面に第２の蛍光体層５を塗布して形成している。第１の蛍光体層４および第２の蛍光体層５は、互いに発光色が異なる蛍光体が用いられる。この第１および第２の蛍光体層４，５は、例えば、一般的に用いられているＣａ−ハロ蛍光体または３波長蛍光体を用いることができる。Ｃａ−ハロ蛍光体は、例えばＣａ１０（ＰＯ４）６ＦＣｌ：Ｓｂ，Ｍｎからなり、Ｓｂ、Ｍｎ、Ｆ、Ｃｌの比率を異ならせることにより、紫外線により、白色、昼白色または昼光色の光を発光する。また、３波長蛍光体の青色蛍光体は、例えば（Ｓｒ，Ｃａ，Ｂａ）５（ＰＯ４）３Ｃｌ：Ｅｕ、ＢａＭｇ２Ａｌ１６Ｏ２７：ＥｕまたはＢａＭｇ２Ａｌ１６Ｏ２７：Ｅｕ，Ｍｎであり、赤色蛍光体は、例えばＹ２Ｏ３：Ｅｕであり、緑色蛍光体は、例えばＬａＰＯ４：Ｔｂ，ＣｅまたはＣｅＭｇＡｌ１１Ｏ１９：Ｔｂである。３波長蛍光体は、これら青色蛍光体、赤色蛍光体および緑色蛍光体の混合比率を異ならせることにより、紫外線により、昼白色、昼光色または電球色の光を発光する。
【００３８】
そして、バルブ２の内部に少なくとも水銀およびアルゴンなどの希ガスを有する放電媒体（図示しない。）が封入されている。また、バルブ２のそれぞれの端部２ａ，２ａに一対の接続ピン７，７を有する口金８，８が装着されている。一対の接続ピン７，７は、フィラメント電極６の両端に電気的に接続されている。
【００３９】
次に、本発明の第１の実施形態の作用について述べる。
【００４０】
蛍光ランプ１において、例えば第１の蛍光体層４が白色光を発光するＣａ−ハロ蛍光体、第２の蛍光体層５が青色光を発光する青色蛍光体により形成されているとき、蛍光ランプ１が点灯すると、すなわち一対のフィラメント電極３，３間に放電が形成されてバルブ２内に励起された水銀による紫外線が発生すると、紫外線が第２の蛍光体層５の青色蛍光体および第１の蛍光体層４のＣａ−ハロ蛍光体に照射される。これにより、青色蛍光体から青色光が放射され、Ｃａ−ハロ蛍光体から白色光が放射される。
【００４１】
非形成部６に形成された青色蛍光体から放射された青色光は、バルブ２を透過して、非形成部６に対向するバルブ外表面から外方に放射される。一方、Ｃａ−ハロ蛍光体から放射された白色光および第１の蛍光体層４の表面に形成された青色蛍光体から放射された青色光は、バルブ２を透過して、非形成部６の残余のバルブ内表面に対向するバルブ外表面から外方に放射される。すなわち、模様を形成している非形成部６のバルブ部分から青色光が放射され、非形成部６以外のバルブ部分から白色光および青色光の混光が放射される。したがって、蛍光ランプ１において、模様を形成する色光が模様以外の色光と異なるので、模様と模様以外のコントラストにより、遠方からでも模様の形状が視認しやすくなる。
【００４２】
また、第１の蛍光体層４が青色蛍光体および緑色蛍光体の混合物、第２の蛍光体層５が赤色蛍光体により形成されているとき、蛍光ランプ１が点灯すると、非形成部６に対向するバルブ外表面から赤色光が外方に放射され、非形成部６以外のバルブ外表面から昼光色、昼白色または電球色の色光が外方に放射される。すなわち、第１の蛍光体層４の青色蛍光体から青色光が放射され、緑色蛍光体から緑色光が放射され、また、第２の蛍光体層５の赤色蛍光体から赤色光が放射され、これら青色光、緑色光および赤色光の混光が青色蛍光体、緑色蛍光体および赤色蛍光体の割合に応じて昼光色、昼白色または電球色の色光となって非形成部６以外のバルブ部分から外方に放射される。こうして、蛍光ランプ１は、非形成部６のバルブ部分（模様）から赤色光が放射され、非形成部６以外のバルブ部分から３波長の昼光色、昼白色または電球色の色光が放射される。
【００４３】
また、第１の蛍光体層４が青色蛍光体および赤色蛍光体の混合物、第２の蛍光体層５が緑色蛍光体により形成されているとき、上記同様に、蛍光ランプ１は、非形成部６のバルブ部分（模様）から緑色光が放射され、非形成部６以外のバルブ部分から３波長の昼光色、昼白色または電球色の色光が放射される。
【００４４】
上述したように、蛍光ランプ１は、模様を形成する非形成部６からの色光が非形成部６以外のバルブ部分からの色光と異なるので、模様と模様以外のコントラストにより、遠方からでも模様の形状が視認しやすい。そして、第１の蛍光体層４および第２の蛍光体層５のそれぞれの蛍光体の種類を適宜選択することにより、模様（非形成部６）は、所定（所望）の光色に形成され、模様（非形成部６）以外のバルブ部分から所定（所望）の光色の照明光が得られる。
【００４５】
そして、蛍光ランプ１は、第１の蛍光体層４がバルブ内表面に非形成部６を残して塗布して形成され、第２の蛍光体層５が非形成部６および第１の蛍光体層４の表面に塗布して形成されるので、容易に、安価に製造される。そして、バルブ内表面の非形成部６において、第２の蛍光体層５が第１の蛍光体層４の表面に連続するようにして形成されるので、非形成部６における第１の蛍光体層４および第２の蛍光体層５の境界部分から紫外線が漏れることが防止される。
【００４６】
次に、本発明の第２の実施形態について説明する。
【００４７】
図２は、本発明の第２の実施形態を示す蛍光ランプの概略縦断面図である。なお、図１と同一部分には同一符号を付して説明は省略する。
【００４８】
図２に示す蛍光ランプ９は、図１に示す蛍光ランプ１において、第２の蛍光体層５は、第２の蛍光体層５の発光色と略同色の顔料１０を包含しているものである。
【００４９】
例えば第１の蛍光体層４が白色光を発光するＣａ−ハロ蛍光体、第２の蛍光体層５が青色光を発光する青色蛍光体に顔料１０としてコバルトブルーまたは群青を包含して形成されているとき、蛍光ランプ９が点灯すると、青色蛍光体から青色光が放射され、Ｃａ−ハロ蛍光体から白色光が放射される。そして、青色蛍光体から放射された青色光は、模様を形成している非形成部６のバルブ部分から放射され、一方、Ｃａ−ハロ蛍光体から放射された白色光および第１の蛍光体層４の表面に形成された青色蛍光体から放射された青色光は、非形成部６以外のバルブ部分から混光されて放射される。
【００５０】
青色蛍光体からは、主として青色光が放射されるが、青色光以外の光もわずかに放射されている。そして、青色蛍光体から放射された光の一部は、第２の蛍光体層５内でコバルトブルーまたは群青を透過する。ここで、コバルトブルーまたは群青は、青色光以外の光をカットし、青色光を透過させる。この結果、非形成部６のバルブ部分から放射されている光は、青色光以外の光が弱まり、大部分が青色光となるので、当該青色が見えやすくなり、非形成部６がより鮮明となる。すなわち、模様が明確に視認しやすくなる。
【００５１】
また、第２の蛍光体層５が赤色光を発光する赤色蛍光体により形成されているとき、第２の蛍光体層５に顔料１０として弁柄（Ｆｅ２Ｏ３）を包含させると、上記同様、非形成部６のバルブ部分（模様）から放射されている赤色光が見えやすくなり、非形成部６（模様）がより鮮明となる。
【００５２】
なお、第１の蛍光体層４に、第１の蛍光体層４の発光色と略同色の顔料１０を包含させてもよく、このとき、非形成部６のバルブ部分（模様）と非形成部６以外のバルブ部分のコントラストが大きくなり、非形成部６の輪郭がより鮮明になる。
【００５３】
次に、本発明の第３の実施形態について説明する。
【００５４】
図３は、本発明の第３の実施形態を示す蛍光ランプであり、（ａ）は一部切り欠き概略正面図、（ｂ）は図３（ａ）のＡ−Ａ方向における概略断面図である。なお、図１と同一部分には同一符号を付して説明は省略する。また、図３（ｂ）において、フィラメント電極など、要部以外は省略している。
【００５５】
図３に示す蛍光ランプ１１は、図１に示す蛍光ランプ１において、バルブ内表面がバルブ２の長手方向にわたって口金８の接続ピン７，７を結ぶ仮想線Ｂにより二分されているときの一方のバルブ内表面側にバルブ２の長手方向に沿う非形成部１２を残して第１の蛍光体層４が塗布して形成され、当該非形成部１２のバルブ内表面および第１の蛍光体層４の表面に第１の蛍光体層４と発光色が異なる第２の蛍光体層５が塗布して形成されたものである。すなわち、第１の蛍光体層４および第２の蛍光体層５は、バルブ２の長手方向に沿って形成されている。
【００５６】
非形成部１２は、例えば、バルブ２の内表面の全域に第１の蛍光体層４を塗布して形成した後、前記一方のバルブ内表面側において、第１の蛍光体層４を所定の形状に剥離することで形成できる。また、非形成部１２を残して非形成部１２以外のバルブ内表面に、第１の蛍光体層４を塗布することで形成できる。そして、非形成部１２を形成した後に、非形成部１２および第１の蛍光体層４の表面に第２の蛍光体層５を塗布して形成している。非形成部１２は、最大、バルブ内表面の半周に形成されるものである。このとき、他方のバルブ内表面（半周）に第１の蛍光体層４が形成され、一方のバルブ内表面（半周）に第２の蛍光体層５が形成され、さらに第１の蛍光体層４の表面に第２の蛍光体層５が形成される。
【００５７】
直管形の蛍光ランプ１は、通常、口金８の接続ピン７，７を結ぶ方向が照明器具の照射方向と直交するようにして、ランプソケットに装着されている。したがって、第１の蛍光体層４の非形成部１２を、バルブ内表面がバルブ２の長手方向にわたって口金８の接続ピン７，７を結ぶ仮想線Ｂにより二分されているときの一方のバルブ内表面側に形成することにより、第１の蛍光体層４は、照明器具の照射方向側のバルブ内表面にバルブ２の長手方向に沿って形成され、第２の蛍光体層５は、照明器具の非照射方向側のバルブ内表面および第１の蛍光体層４の表面にバルブ２の長手方向に沿って形成されるようにできる。
【００５８】
そして、環形の蛍光ランプは、バルブ２が照明器具に支持されたときに、第１の蛍光体層４が照明器具の照射方向側のバルブ内表面にバルブ２の長手方向に沿って形成され、第２の蛍光体層５がバルブ内表面の第１の蛍光体層４の非形成部１２すなわち照明器具の非照射方向側のバルブ内表面および第１の蛍光体層４の表面に形成されるようにしている。
【００５９】
次に、本発明の第３の実施形態の作用について述べる。
【００６０】
直管形の蛍光ランプ１または環形の蛍光ランプは、上述したように、照明器具に支持されたときに、第１の蛍光体層４が照明器具の照射方向側のバルブ内表面にバルブ２の長手方向に沿って形成され、第２の蛍光体層５が照明器具の非照射方向側のバルブ内表面および第１の蛍光体層４の表面にバルブ２の長手方向に沿って形成されている。したがって、第１の蛍光体層４および第２の蛍光体層５から放射された混色光は、主に照明の直接光となる。一方、第２の蛍光体層５から放射された単色光は、反射板、照明器具本体や照明器具が取り付けられている天井などの造営物などによって照明器具の照射方向側に反射されて、照明の間接光となる。
【００６１】
そして、例えば蛍光ランプ１１において、第１の蛍光体層４が３波長蛍光体、第２の蛍光体層５が青色蛍光体により形成され、さらに、３波長蛍光体が昼光色に設定されているとき、蛍光ランプ１１が点灯すると、照明器具の照射方向側のバルブ外表面から昼光色の光が放射されて直接光の照明光となり、第１の蛍光体層４の非形成部１２のバルブ内表面に対向するバルブ外表面、すなわち照明器具の非照射方向側のバルブ外表面から青色光が放射されて間接光の照明光となる。そして、昼光色の直接光および青色の間接光により、鎮静効果のある照明雰囲気が演出される。
【００６２】
また、同じく、第１の蛍光体層４が３波長蛍光体、第２の蛍光体層５が赤色蛍光体により形成され、さらに、３波長蛍光体が昼白色に設定されていると、同様に、昼白色の直接光および赤色の間接光により、活発な照明雰囲気が演出される。
【００６３】
また、同じく、第１の蛍光体層４が３波長蛍光体、第２の蛍光体層５が緑色蛍光体により形成され、さらに、３波長蛍光体が電球色に設定されていると、同様に、電球色の直接光および緑色の間接光により、落ち着いた照明雰囲気が演出される。
【００６４】
このように、照明器具の非照射方向側のバルブ部分から放射される第２の蛍光体層５が発光する色光を間接光の照明光として、照明器具の照射方向側のバルブ部分から放射される発光色が異なる第１および第２の蛍光体層４，５がそれぞれ発光する色光を直接光の照明光として利用することができ、第１の蛍光体層４および第２の蛍光体層５のそれぞれの蛍光体の種類を適宜選択することにより、所定の照明が演出される。
【００６５】
そして、蛍光ランプ１１は、第１の蛍光体層４を照明器具の照射方向のバルブ内表面に塗布して形成し、第２の蛍光体層５を照明器具の非照射方向側のバルブ内表面および第１の蛍光体層４の表面に塗布して形成するので、容易に、安価に製造される。
【００６６】
次に、本発明の第４の実施形態について説明する。
【００６７】
図４は、本発明の第４の実施形態を示す照明器具の斜視図である。なお、図１と同一部分には同一符号を付して説明は省略する。
【００６８】
図４に示す照明器具１３は、天井などの造営物に設置される直付け照明器具であり、照明器具本体１４が造営物に取り付けられている。照明器具本体１４は、反射面１５ａを有するカバー１５が配設され、両端に一対のランプソケット１６，１６が設けられている。蛍光ランプ１は、ランプソケット１６，１６に装着されている。すなわち、蛍光ランプ１は、照明器具本体１４に配設されている。
【００６９】
また、照明器具本体１４は、カバー１５内に点灯装置１７を配設している。点灯装置１７は、高周波電圧を出力して、蛍光ランプ１を点灯させるように構成されている。
【００７０】
蛍光ランプ１は、ランプソケット１６，１６に装着されると、バルブ内表面に第２の蛍光体層５が形成されているバルブ部分側が照明器具本体１４に非対向している。すなわち、模様を形成している非形成部６が照明器具１３の照射方向側を向いている。これにより、蛍光ランプ１が点灯したときに、模様（非形成部６のバルブ部分）が視認される。そして、バルブ２の内表面に形成される第１の蛍光体層４および第２の蛍光体層５のそれぞれの蛍光体の種類を適宜選択することにより、所定の模様（非形成部６のバルブ部分）が所定の光色で表示される。
【００７１】
次に、本発明の第５の実施形態について説明する。
【００７２】
図５は、本発明の第５の実施形態を示す照明器具の一部縦断面図である。なお、図３と同一部分には同一符号を付して説明は省略する。
【００７３】
図５に示す照明器具１８は、天井などの造営物に設置されるペンダント照明器具であり、照明器具本体１９が電源コード２０および引掛シーリング２１を介して造営物に取り付けられている。照明器具本体１９は、一端部にランプソケット２２、他端部にランプホルダー２３，２４が設けられている。このランプソケット２２およびランプホルダー２３，２４にそれぞれ環径が異なる環形の蛍光ランプ２５，２６が取り付けられている。
【００７４】
また、照明器具本体１９は、内部に回路基板に実装された電子部品等により構成された点灯装置２７を配設している。点灯装置２７は、高周波電圧を出力して、蛍光ランプ２５，２６を個別に点灯させるように構成されている。また、照明器具本体１９は、豆球用ソケット２８を配設しており、この豆球用ソケット２８に豆球２９が装着されている。
【００７５】
環形の蛍光ランプ２５，２６は、ランプソケット２２およびランプホルダー２３，２４にそれぞれ取り付けられることにより、それぞれのバルブ２，２が照明器具本体１９に支持されている。このバルブ２が照明器具本体１９に支持されたときに、蛍光ランプ２５，２６は、第１の蛍光体層４が照明器具１８の照射方向側のバルブ内表面にバルブ２の長手方向に沿って形成され、第２の蛍光体層５がバルブ内表面の第１の蛍光体層４の非形成部１２（図示しない。）および第１の蛍光体層４の表面に形成されるように設計されている。
【００７６】
照明器具１８は、照射方向側（下側）のバルブ部分から放射される第１の蛍光体層４および第２の蛍光体層５がそれぞれ発光する色光が直接光となり、非照射方向側（上側）のバルブ部分から放射される第２の蛍光体層５が発光する色光が間接光となって床面や机などの被照射面を照明する。そして、第１の蛍光体層４および第２の蛍光体層５のそれぞれの蛍光体の種類が適宜選択された蛍光ランプ２５，２６を照明器具本体１９に配設することにより、所定の照明が演出される。
【図面の簡単な説明】
【００７７】
【図１】本発明の第１の実施形態を示す蛍光ランプであり、（ａ）は一部切り欠き概略正面図、（ｂ）は（ａ）のＡ−Ａ方向における概略断面図。
【図２】本発明の第２の実施形態を示す蛍光ランプの概略縦断面図。
【図３】本発明の第３の実施形態を示す蛍光ランプであり、（ａ）は一部切り欠き概略正面図、（ｂ）は（ａ）のＡ−Ａ方向における概略断面図。
【図４】本発明の第４の実施形態を示す照明器具の斜視図。
【図５】本発明の第５の実施形態を示す照明器具の一部縦断面図。
【符号の説明】
【００７８】
１，９，１１，２５，２６…蛍光ランプ
２…バルブ
３…電極としてのフィラメント電極
４…第１の蛍光体層
５…第２の蛍光体層
１０…顔料
１３，１８…照明器具
１４，１９…照明器具本体
１７，２７…点灯装置
【図１】
2005190848.tif 000003
【図２】
2005190848.tif 000004
【図３】
2005190848.tif 000005
【図４】
2005190848.tif 000006
【図５】
2005190848.tif 000007